(57)【特許請求の範囲】
【請求項１】
表示面を備える表示装置と、前記表示面の少なくとも一部を覆うと共に遊技面を構成す
る透明板と、前記表示面及び前記遊技面を覆う透明な正面部とからなる遊技機であって、
前記表示装置の前記表示面が前記正面部に対応する大きさであり、
前記表示装置が、視差により立体視可能な立体画像を表示する第１立体表示部と、前記第１立体表示部の外側に設けられると共に視差により立体視可能な立体画像を表示する第２立体表示部とを備え、前記第２立体表示部が、前記第１立体表部の外周全体を連続的に取り囲むように配置されることにより、前記表示装置が全体として凹形状となる、遊技機。
【請求項２】
請求項１に記載の遊技機において、前記表示装置の前記表示面が前記正面部とほぼ同じ大きさである、遊技機。
【請求項３】
請求項１または２に記載の遊技機において、前記表示装置の前記表示面が、奥行きを有する、遊技機。
【請求項４】
請求項１から３のいずれか１項に記載の遊技機において、前記表示装置が、１つまたは複数の表示ユニットから構成される、遊技機。
【請求項５】
立体表示装置であって、
視差により立体視可能な立体画像を表示する第１立体表示部と、
前記第１立体表示部の外側に設けられると共に視差により立体視可能な立体画像を表示する第２立体表示部と、
前記立体画像の表示を制御する制御部とを備え、
前記第２立体表示部が、前記第１立体表部の外周全体を連続的に取り囲むように配置されることにより、前記立体表示装置が全体として凹形状となる、立体表示装置。
【請求項６】
請求項５に記載の立体表示装置において、前記第１立体表示部及び前記第２立体表示部の表示面が、奥行きを有する、立体表示装置。
【請求項７】
請求項５または６に記載の立体表示装置において、前記第２立体表示部の表示面が、前記第１立体表示部の表示面に対して傾斜して配置される、立体表示装置。
【請求項８】
請求項５から７のいずれか一項に記載の立体表示装置において、前記第２立体表示部が複数の第２表示ユニットから構成される、立体表示装置。
【請求項９】
請求項５から８のいずれか一項に記載の立体表示装置において、前記制御部が、前記第１立体表示部及び前記第２立体表示部の一方から他方に前記立体画像を移動して表示する、立体表示装置。
【請求項１０】
請求項５から９のいずれか一項に記載の立体表示装置において、前記制御部が、前記第１立体表示部と前記第２立体表示部とをまたがって前記立体画像を表示する、立体表示装置。
【請求項１１】
請求項５から１０のいずれか一項に記載の立体表示装置において、視差により立体視可能な立体画像を表示する第３立体表示部をさらに備え、当該第３立体表示部が、前記第２立体表示部の外側に設けられる、立体表示装置。
【請求項１２】
請求項１１に記載の立体表示装置において、前記第３体表示部が、前記第２立体表示部を取り囲むように設けられる、立体表示装置。
【請求項１３】
請求項１１又は１２に記載の立体表示装置において、前記第３立体表示部の表示面が、前記第１立体表示部の表示面に対して傾斜して配置される、立体表示装置。
【請求項１４】
請求項１１から１３のいずれか一項に記載の立体表示装置において、前記第３立体表示部が複数の第３表示ユニットから構成される、立体表示装置。
【請求項１５】
請求項１１から１４のいずれか一項に記載の立体表示装置において、前記制御部が、前記第１立体表示部と前記第２立体表示部との間を、又は前記第２立体表示部と前記第３立体表示部との間を、またがって前記立体画像を表示する、立体表示装置。
【請求項１６】
請求項５から１５のいずれか一項に記載の立体表示装置において、前記制御部が、前記立体画像を、回転、拡大、縮小、移動のいずれか１つ又はこれらの組み合わせを実行して表示する、立体表示装置。
【請求項１７】
請求項５から１６のいずれか一項に記載の立体表示装置を備える、遊技機。
【請求項１８】
請求項１７に記載の遊技機において、
前記第１立体表示部及び前記第２立体表示部の表示面を覆うと共に遊技面を構成する透明板と、
透明な窓部を有し前記透明板を覆う正面部とを備える、遊技機。
【請求項１９】
請求項１１から１５のいずれか一項に記載の立体表示装置を備える遊技機において、
前記第１立体表示部及び前記第２立体表示部の表示面を覆うと共に遊技面を構成する透明板と、
透明な窓部を有し前記透明板を覆う正面部とを備え、
前記第３立体表示部が前記遊技面を取り囲むように設けられる、遊技機。
【請求項２０】
請求項１９に記載の遊技機において、前記第３立体表示部が、前記正面部及び前記透明板の間に設けられる、遊技機。
【請求項２１】
請求項１９又は２０に記載の遊技機において、前記正面部が透明材料から形成される、遊技機。
【請求項２２】
請求項１７から２１のいずれか１項に記載の遊技機において、前記第１立体表示部、及び前記第２立体表示部が、全体として前記遊技面に対応した大きさの表示面を構成する、
遊技機。
【請求項２３】
請求項１９から２１のいずれか１項に記載の遊技機において、前記第１立体表示部、前記第２立体表示部、及び前記第３立体表示部が、全体として前記正面部に対応した大きさの表示面を構成する、遊技機。
【発明の詳細な説明】
【技術分野】
【０００１】
本発明は、パチンコ等の遊技機、立体表示装置、及びこの立体表示装置を備えた遊技機に関する。
【背景技術】
【０００２】
従来のパチンコ等の遊技機は、遊技球が移動する遊技面に液晶ディスプレイ等の表示装置が設けられ、この表示装置で入賞動作や確立変動等の際の演出画像が表示される。また、このような表示装置に立体表示可能な液晶パネルを用いたものも提案されている（特許文献１）。特許文献１の図１において、立体表示可能な画像表示装置８は、遊技面を形成する遊技盤６のほぼ中央に設けられている。
【先行技術文献】
【特許文献】
【０００３】
【特許文献１】特開２００７−５４０９１号公報
【発明の概要】
【発明が解決しようとする課題】
【０００４】
しかしながら、特許文献１の遊技機は画像表示装置８により立体表示が可能であるものの、遊技機の正面部全体に対する画像表示装置８の表示面の大きさが比較的小さく、画像表示装置８自体が遊技者に与える視覚効果としては十分なものとはなっていなかった。
さらに、特許文献１の遊技機では、その図１に示すように画像表示装置８の表示面は、平坦であって奥行きがないため、立体感に欠けるものとなっていた。
【０００５】
そこで、本発明は、遊技機の正面部全体に対応して十分な大きさの表示面を備える遊技機を提供することを目的とする。さらに、本発明は、表示面自体に奥行きを有する立体表示装置を提供することを目的とする。
【課題を解決するための手段】
【０００６】
本発明者らは、上記課題を解決するため鋭意研究を行った結果、遊技機の正面部全体に対応して十分な大きさの表示面を備える遊技機を作製すると共に、表示面に奥行きを備える立体表示装置を作製し、本発明を完成するに至った。
【０００７】
すなわち、本発明は以下の通りである。
（１）は、表示面を備える表示装置と、前記表示面の少なくとも一部を覆うと共に遊技面を構成する透明板と、前記表示面及び前記遊技面を覆う透明な正面部とからなる遊技機であって、前記表示装置の前記表示面が前記正面部に対応する大きさである、遊技機である。（２）は、（１）に記載の遊技機において、前記表示装置の前記表示面が前記正面部とほぼ同じ大きさである、遊技機である。（３）は、（１）又は（２）に記載の遊技機において、前記表示装置が、視差により立体視可能な立体画像を表示する立体表示装置である、遊技機である。（４）は、（１）から（３）のいずれか１項に記載の遊技機において、前記表示装置の前記表示面が、奥行きを有する、遊技機である。（５）は、（１）から（４）のいずれか１項に記載の遊技機において、前記表示装置が、１つまたは複数の表示ユニットから構成される、遊技機である。
【０００８】
（６）立体表示装置であって、視差により立体視可能な立体画像を表示する第１立体表示部と、前記第１立体表示部の外側に設けられると共に視差により立体視可能な立体画像を表示する第２立体表示部と、前記立体画像の表示を制御する制御部とを備える、立体表示装置である。（７）は、（６）に記載の立体表示装置において、前記第１立体表示部及び前記第２立体表示部の表示面が、奥行きを有する、立体表示装置である。（８）は、（６）又は（７）に記載の立体表示装置において、前記第２立体表示部が、前記第１立体表示部を取り囲むように配置される、立体表示装置である。（９）は、（６）から（８）のいずれか１項に記載の立体表示装置において、前記第２立体表示部の表示面が、前記第１立体表示部の表示面に対して傾斜して配置される、立体表示装置である。（１０）は、（６）から（９）のいずれか一項に記載の立体表示装置において、前記第２立体表示部が複数の第２表示ユニットから構成される、立体表示装置である。（１１）は、（６）から（１０）のいずれか一項に記載の立体表示装置において、前記制御部が、前記第１立体表示部及び前記第２立体表示部の一方から他方に前記立体画像を移動して表示する、立体表示装置である。
【０００９】
（１２）は、（６）から（１１）のいずれか一項に記載の立体表示装置において、前記制御部が、前記第１立体表示部と前記第２立体表示部とをまたがって前記立体画像を表示する、立体表示装置である。（１３）は、（６）から（１２）のいずれか一項に記載の立体表示装置において、視差により立体視可能な立体画像を表示する第３立体表示部をさらに備え、当該第３立体表示部が、前記第２立体表示部の外側に設けられる、立体表示装置である。（１４）は、（１３）に記載の立体表示装置において、前記第３体表示部が、前記第２立体表示部を取り囲むように設けられる、立体表示装置である。（１５）は、（１３）又は（１４）に記載の立体表示装置において、前記第３立体表示部の表示面が、前記第１立体表示部の表示面に対して傾斜して配置される、立体表示装置である。（１６）は、（１３）から（１５）のいずれか一項に記載の立体表示装置において、前記第３立体表示部が複数の第３表示ユニットから構成される、立体表示装置である。（１７）は、（１３）から（１６）のいずれか一項に記載の立体表示装置において、前記制御部が、前記第１立体表示部と前記第２立体表示部との間を、又は前記第２立体表示部と前記第３立体表示部との間を、またがって前記立体画像を表示する、立体表示装置である。
【００１０】
（１８）は、（６）から（１７）のいずれか一項に記載の立体表示装置において、前記制御部が、前記立体画像を、回転、拡大、縮小、移動のいずれか１つ又はこれらの組み合わせを実行して表示する、立体表示装置である。（１９）は、（６）から（１８）のいずれか一項に記載の立体表示装置を備える、遊技機である。（２０）は、（１９）に記載の遊技機において、前記第１立体表示部及び前記第２立体表示部の表示面を覆うと共に遊技面を構成する透明板と、透明な窓部を有し前記透明板を覆う正面部とを備える、遊技機である。
（２１）は、（１３）から（１７）のいずれか一項に記載の立体表示装置を備える遊技機において、前記第１立体表示部及び前記第２立体表示部の表示面を覆うと共に遊技面を構成する透明板と、透明な窓部を有し前記透明板を覆う正面部とを備え、前記第３立体表示部が前記遊技面を取り囲むように設けられる、遊技機である。（２２）は、（２１）に記載の遊技機において、前記第３立体表示部が、前記正面部及び前記透明板の間に設けられる、遊技機である。（２３）は、（２１）又は（２２）に記載の遊技機において、前記正面部が透明材料から形成される、遊技機である。（２４）は、（１９）から（２３）のいずれか１項に記載の遊技機において、前記第１立体表示部、及び前記第２立体表示部が、全体として前記遊技面に対応した大きさの表示面を構成する、遊技機である。（２５）は、（２１）から（２３）のいずれか１項に記載の遊技機において、前記第１立体表示部、前記第２立体表示部、及び前記第３立体表示部が、全体として前記正面部に対応した大きさの表示面を構成する、遊技機である。
【発明の効果】
【００１１】
本発明により遊技機の正面部に対して十分な大きさの表示面を備えた遊技機が提供される。本発明の遊技機は、遊技機の正面全体で画像による演出を行うことができ、興趣を高めることができる。
【００１２】
また、本発明により、表示面に奥行きを備える立体表示装置が提供される。本発明の立体表示装置は奥行きを備えることにより、表示される画像の立体感を高めて表示できるため、遊技に際して高い臨場感を与え興趣を高めることができる。
【図面の簡単な説明】
【００１３】
【図１】本発明の第１の実施形態に係る遊技機の正面図である。
【図２】図１の遊技機の分解斜視図である。
【図３】図１の遊技機の分解側面図である。
【図４】図１の遊技機のブロック図である。
【図５】図１の遊技機による立体画像の表示例を示す概念図である。
【図６】本発明の第２の実施形態に係る立体表示装置の正面図である。
【図７】本発明の第２の実施形態に係る立体表示装置の変形例の正面図である。
【図８】本発明の第２の実施形態に係る遊技機の正面図である。
【図９】図８の遊技機の分解斜視図である。
【図１０】図８の遊技機の分解側面図である。
【図１１】図８の遊技機のブロック図である。
【図１２】図８の遊技機による立体画像の表示例を示す概念図である。
【図１３】本発明の第３の実施形態に係る第３立体表示部の正面図である。
【図１４】本発明の第３の実施形態に係る遊技機の正面図である。
【図１５】図１４の遊技機の分解斜視図である。
【図１６】図１４の遊技機の分解側面図である。
【図１７】図１４の遊技機のブロック図である。
【図１８】図１４の遊技機による立体画像の表示例を示す概念図である。
【発明を実施するための形態】
【００１４】
以下、本発明の各実施形態を図面を参照して詳細に説明する。なお、各図において同一部分は同一符号を付して説明を省略する。なお、各実施形態では、全面表示装置又は立体表示装置をパチンコ機等の遊技機に適用したものを説明するが、本発明はパチンコ機には限定されない。例えば、本発明は、メダルゲーム機、競馬ゲーム機、サッカーゲーム機等、比較的大きな遊技面（遊技盤面）を有するゲーム機等にも適用できる。
【００１５】
（第１の実施形態）
第１の実施形態に係る遊技機を図１から図５を用いて説明する。図１に破線で示すように、遊技機１００は、その正面部に対応する表示面を有する全面表示装置３Ａを備える。図２及び図３に示すように、遊技機１００は、本体１と、本体１に取り付けられる全面表示装置３Ａと、全面表示装置３Ａの表示面３Ａ１側に取り付けられる透明板５と、透明板５及び全面表示装置３Ａを覆い全体が透明な正面扉（正面部）７とから構成される。透明板５には複数の釘や入賞口が設けられる。透明板５や正面扉７を形成する透明材料としては、好ましくは、無機ガラス、又はポリカーボネート若しくはポリメタクリル酸メチル等の有機ガラスを用いることができる。正面扉７と透明板５との間には遊技球が移動する遊技面が形成される。
【００１６】
図２に示すように、全面表示装置３Ａは平板状であり、長方形状の表示面３Ａ１を有する。ここで、「前記表示装置の前記表示面が前記正面部に対応する大きさである」という記載の意味を説明する。この記載は、遊技機１００（正面扉７）の正面の面積に対して、全面表示装置３Ａの表示面３Ａ１の面積が所定の範囲にあることを意味する。この所定の範囲としては、遊技機１００の正面の面積に対して全面表示装置３Ａの表示面３Ａ１の面積が、好ましくは７０から１００％であるか、より好ましくは８０から１００％であるか、さらに好ましくは９０から１００％である。また、「前記表示装置の前記表示面が前記正面とほぼ同じ大きさである」とは、遊技機１００の正面の面積に対して全面表示装置３Ａの表示面３Ａ１の面積が、好ましくは９０から１００％であるか、より好ましくは９５から１００％であることを意味する。
【００１７】
また、全面表示装置３Ａは、通常の液晶表示装置とすることもでき、視差により立体表示可能な立体表示装置とすることもできる。立体表示装置としては、好ましくは左右の眼の視差により立体視可能なディスプレイを用いることができる。また、このようなディスプレイに適用可能な立体表示方式としては、例えば、３Ｄメガネが不要でありスイッチ液晶層を用いて左右の眼に異なる光が届くようにする視差バリア方式、３Ｄメガネを用いて時分割で右眼用画像と左眼用画像を交互に表示するフレームシーケンシャル方式、３Ｄメガネが不要でありレンチキュラシートにより左右両眼に異なる角度の画像を与えるインテグラルイメージング方式、のいずれか一つを用いることができる。さらに、ディスプレイとしては、例えば、液晶ディスプレイ、プラズマディスプレイ、有機ＥＬディスプレイ、フレキシブル有機ＥＬディスプレイ、といった薄型ディスプレイを用いることができる。さらにまた、全面表示装置３Ａは、１枚のディスプレイ（表示ユニット）から構成することもでき、複数枚のディスプレイから構成することもできる。全面表示装置３Ａは、フレキシブル有機ＥＬディスプレイを湾曲させて奥行き又は凹形状を形成するか、複数の薄型ディスプレイ（表示ユニット）を、後述する図６又は図７のように接続して奥行き又は凹形状を形成することもできる。
【００１８】
次に、遊技機１００の制御ブロック図を図４に示して説明する。ＣＰＵ等の制御部９には、全面表示装置３Ａの動作を制御する表示装置駆動回路１１と、ＲＡＭやＲＯＭを備える記憶部１４と、遊技面の入賞口に設けられる入賞口センサ１５と、遊技球を射出するハンドルの操作を検出するハンドルセンサ１７と、ハンドルセンサ１７で検出された操作信号に応じて遊技球を射出する遊技球射出部１９とが接続される。
【００１９】
次に、遊技機１００による画像表示動作を図５を用いて説明する。遊技球の入賞や遊技時間の経過等の所定の条件が達成されると、３ＤＣＧのオブジェクト１２ａから１２ｊが、遊技機１００の全面表示装置３Ａ上を移動しつつ立体的に表示される。オブジェクトとしては、例えば、数字、文字、自動車、又は恐竜若しくは魚といった動物等の任意の立体画像を用いることができる。さらに、制御部の演算により、オブジェクトに対して回転、拡大、縮小、移動のいずれか１つ又はこれらの組み合わせを実行して、全面表示装置３Ａにオブジェクトを表示することができる。
【００２０】
（立体表示装置の概要）
本発明の第２及び第３の実施形態に用いる立体表示装置は、ダイヤモンドカットを内側から見たような角度で複数の表示ユニット（例えば３Ｄ液晶パネル）を組み合わせて、これら全体で表示面に奥行きを作るというものである（図６、図７、図１３）。また、この立体表示装置に表示される画像は、各表示ユニットの表示をリンクして動作する。さらに、この立体表示装置を備える遊技機の正面扉の枠側に、同様に奥行きを備える立体表示装置を配置して、遊技機全体に立体感とより大きな奥行き感を形成する。
【００２１】
（第２の実施形態）
第２の実施形態に係る立体表示装置３Ｂを、図６の正面図に示して説明する。立体表示装置３Ｂは、全体として凹形状であり、矩形状の第１立体表示部３１と、第１立体表示部３１の外周を取り囲むように配置される第２立体表示部３２とから構成される。第１立体表示部３１は、第１表示ユニット３１ａから構成され、第２立体表示部３２は、８個の第２表示ユニット３２ａ〜３２ｈから構成される。
【００２２】
図６において、第２立体表示部３２の第２表示ユニット３２ａ〜３２ｈの各表示面は、第１立体表示部３１の第１表示ユニット３１ａの表示面に対して、それぞれ傾斜して配置される。第２表示ユニット３２ａ、３２ｃ、３２ｅ、３２ｇは台形状であり、第２表示ユニット３２ｂ、３２ｄ、３２ｆ、３２ｈは三角形状である。第１表示ユニット３１ａ及び第２表示ユニット３２ａ〜３２ｈは、好ましくは上述の立体視可能なディスプレイを用いることができるが、これに限定されず、例えば、立体視可能でない通常の薄型ディスプレイを用いて奥行きを形成してもいい。
【００２３】
第２の実施形態の変形例に係る立体表示装置３Ｃを、図７の正面図に示して説明する。図７の立体表示装置３Ｃは、図６の第２表示ユニット３２ｂに換えて、三角形状の２つの第２サブ表示ユニット３２ｂ１及び３２ｂ２を備える。同様に、立体表示装置３Ｃは、図６の第２表示ユニット３２ｄに換えて、三角形状の２つの第２サブ表示ユニット３２ｄ１及び３２ｄ２を備え、図６の第２表示ユニット３２ｆに換えて、三角形状の２つの第２サブ表示ユニット３２ｆ１及び３２ｆ２を備え、図６の第２表示ユニット３２ｈに換えて、三角形状の２つの第２サブ表示ユニット３２ｈ１及び３２ｈ２を、それぞれ備える。各第２サブ表示ユニットも、好ましくは上述の立体視可能なディスプレイを用いることができるが、これに限定されず、例えば、立体視可能でない通常の薄型ディスプレイを用いて奥行きを形成してもいい。なお、図６の立体表示装置３Ｂや、図７の立体表示装置３Ｃは、複数の表示ユニットから構成して奥行きを形成したが、湾曲可能な１枚の表示ユニット、例えば１枚のフレキシブル有機ＥＬディスプレイを用いて奥行き又は凹形状を形成することもできる。
【００２４】
次に、立体表示装置３Ｂ又は３Ｃを遊技機２００に組み込んだ状態を図８から図１０を用いて説明する。遊技機２００は、正面扉７の内側に図６に示した立体表示装置３Ｂ又は図７に示した立体表示装置３Ｃのいずれか１つを備える。立体表示装置３Ｂと立体表示装置３Ｃとは互いに交換可能であるため、図８から図１０において、立体表示装置を「３Ｂ（３Ｃ）」又は「３Ｃ（３Ｂ）」との符号で図示する。
【００２５】
図９及び図１０に示すように、遊技機２００は、本体１と、本体１に収容される立体表示装置３Ｂ又は３Ｃと、立体表示装置３Ｂ又は３Ｃの表示面側に取り付けられ遊技面となる透明板５と、透明板５を覆う正面扉７とから構成される。透明板５には複数の釘や入賞口が設けられる。正面扉７には、立体表示装置３Ｂ又は３Ｃの表示面の全体を可視可能とするために、前記透明材料からなる透明窓７ａを設けることができる。
【００２６】
次に、遊技機２００の制御ブロック図を図１１に示して説明する。制御部９には、第１表示ユニット３１ａの動作を制御する第１表示ユニット駆動回路１１ａと、第２表示ユニット３２ｘの動作を制御する第２表示ユニット駆動回路２２ｘとが接続される。なお、図１１に示す第２表示ユニット３２ｘは１つのみ記載したが、図６の第２表示ユニット３２ａから３２ｈ、又は図７の第２表示ユニット３２ａから３２ｈ２、のそれぞれに対応して複数設けられる。同様に、図１１の表示ユニット駆動回路２２ｘは１つのみ記載したが、図６の第２表示ユニット３２ａから３２ｈ、又は図７の第２表示ユニット３２ａから３２ｈ２の、それぞれ毎に対応して複数設けられる。
【００２７】
次に、遊技機２００による画像表示動作を図１２を用いて説明する。遊技球の入賞や遊技時間の経過等の所定の条件が達成されると、遊技機２００の立体表示装置３Ｃ（３Ｂ）上に、３ＤＣＧのオブジェクト１２ａ、１２ｂ、１２ｃが、第１表示ユニット３１及び第２表示ユニット３２の間を移動しつつ立体的に表示される。オブジェクトとしては、例えば、数字、文字、自動車、又は恐竜若しくは魚といった動物等の任意の立体画像を用いることができる。さらに、制御部の演算により、オブジェクトに対して回転、拡大、縮小、移動のいずれか１つ又はこれらの組み合わせを実行して、第１立体表示部３１及び／又は第２立体表示部３２にオブジェクトを表示することができる。
【００２８】
第２の実施形態では、立体表示装置３Ｂ又は３Ｃが物理的又は空間的に奥行きを有するため、立体表示装置に表示される画像の立体感が強調されて興趣を高めることができる。また、第２の実施形態では、立体表示装置を遊技面背後の全体に対応して設けたため、遊技面全体に重ねて立体画像による演出を行うことができ、さらに興趣を高めることができる。
【００２９】
（第３の実施形態）
第３の実施形態に係る立体表示装置は、第２の実施形態の第１立体表示部３１及び第２立体表示部３２に加えて、図１３に示す第３立体表示部３３を備える。図１３の第３立体表示部３３は、中央に遊技面を表示するための開口部３３ｗを備え、開口部３３ｗを取り囲むように、１２個の第３表示ユニット３３ａから３３ｌを備える。第３表示ユニット３３ａから３３ｌは、それぞれ透明板５及び／又は第１立体表示部３１の表示面に対して傾斜して配置される。
【００３０】
次に、第３立体表示部３３を遊技機３００に組み込んだ状態を図１４から図１６を用いて説明する。図１４に示すように、遊技機３００は、正面扉７の内側に破線で示す第３立体表示部３３を備える。図１５及び図１６に示すように、遊技機３００は、正面扉７と透明板５との間に第３立体表示部３３を備える。正面扉７は、全体が上述の透明材料から構成され、第３表示ユニット３３に表示される立体画像を透過して表示する。
【００３１】
次に、遊技機３００の制御ブロック図を図１７に示して説明する。制御部９には、第３表示ユニット３３ｘの動作を制御する第３表示ユニット駆動回路２３ｘが接続される。なお、図１７に示す第３表示ユニット３３ｘは１つのみ記載したが、図１３の第３立体表示ユニット３３ａから３３ｌのそれぞれに対応して複数設けられる。また、図１７の第３表示ユニット駆動回路２３ｘは１つのみ記載したが、図１３の第３立体表示ユニット３３ａから３３ｌのそれぞれに対応して複数設けられる。
【００３２】
次に、遊技機３００による画像表示動作を図１８を用いて説明する。遊技球の入賞や遊技時間の経過等の所定の条件が達成されると、第１立体表示部３１、第２立体表示部３２、第３立体表示部３３の、いずれか一つ又は任意の組み合わせの上に、３ＤＣＧのオブジェクト１２ａ、１２ｂ、１２ｃ、１２ｄから１２ｊが立体的に表示され、これらのオブジェクトは、各表示ユニットの間を移動して表示される。このようなオブジェクトとしては、例えば、数字、文字、自動車、又は恐竜若しくは魚といった動物等の任意の立体画像を用いることができる。
【００３３】
第３の実施形態では、第１立体表示部３１及び第２立体表示部３２から構成されて物理的又は空間的に奥行きを有する立体表示装置３Ｂ又は３Ｃの外側に、物理的又は空間的に奥行きを有する第３立体表示装置３３をさらに備えたため、表示される画像の立体感がより強調され興趣を高めることができる。また、第３の実施形態では、第１立体表示部３１、第２立体表示部３２、及び第３立体表示部３３が、全体として遊技機２０の正面部全体に対応した表示面を構成するため、より大きな立体画像による演出を行うことができ、さらに興趣を高めることができる。
【符号の説明】
【００３４】
１    本体
３Ａ  全面表示装置
３Ｂ  立体表示装置
３Ｃ  立体表示装置
５    透明板
７    正面扉
９    制御部
１１    表示装置駆動回路
１１ａ  表示ユニット駆動回路
３１    第１立体表示部
３１ａ  第１表示ユニット
３２    第２立体表示部
３２ａ〜ｈ  第２表示ユニット
３３    第３立体表示部
３３ａ〜ｌ  第３表示ユニット
１００  遊技機
２００  遊技機
３００  遊技機
【図１】
0005990036.tif 000002
【図２】
0005990036.tif 000003
【図３】
0005990036.tif 000004
【図４】
0005990036.tif 000005
【図５】
0005990036.tif 000006
【図６】
0005990036.tif 000007
【図７】
0005990036.tif 000008
【図８】
0005990036.tif 000009
【図９】
0005990036.tif 000010
【図１０】
0005990036.tif 000011
【図１１】
0005990036.tif 000012
【図１２】
0005990036.tif 000013
【図１３】
0005990036.tif 000014
【図１４】
0005990036.tif 000015
【図１５】
0005990036.tif 000016
【図１６】
0005990036.tif 000017
【図１７】
0005990036.tif 000018
【図１８】
0005990036.tif 000019